(57)【要約】【課題】販促物は、商品自身の質を表現し商品の持つ個性と共にシーズン性とも相まって消費者に訴求する販売促進用容器を提供することを目的とする。【解決手段】厚紙又は紙管又はプラスチック管でなる筒状物と、その表面に竹風の印刷又は印刷したラベルで加飾した構成で、筒状本体内部に食品を入れられるようにしたことを特徴とする販売促進用容器である。さらに、上記筒状物の上部開口部を斜めに切断した斜切り開口部や、竹の節を示すため、プレス加工や紙やプラスチックなどを輪状にして貼り付け、厚みをだした節部を備えてもよい。【選択図】図１
2018127252.tif 000002
【特許請求の範囲】
【請求項１】
厚紙又は紙管又はプラスチック管でなる筒状物と、その表面に竹風の印刷もしくは印
刷をしたラベルで加飾した構成で、筒状物本体内部に食品を入れられるようにしたことを
特徴とする販売促進用容器。
【請求項２】
上記筒状物の上部開口部を斜めに切断した斜切り開口部を備えたことを特徴とする請求
項１記載の販売促進用容器。
【請求項３】
竹の節を示すため、竹風の加飾を行った筒状物の節部にプレス加工で凹凸を作った物や
紙やプラスチックなどを輪状にして貼り付け、厚みをだした節部を備えたことを特徴とす
る請求項１又は２に記載の販売促進用容器。
【請求項４】
上記筒状物の自立性を高める目的の差し込める形状の凹凸部を有するプラスチック成形
品からなる底用台を追加したことを特徴とする請求項１から３のいずれかから成る販売促
進商品セット。
【請求項５】
請求項１から４に記載の販売促進用容器を、食品をいれた状態で一つ又は複数個配置し、
さらに造花門松飾りや干支の動物等の装飾品を備えた事を特徴とする販売促進商品セット。
【発明の詳細な説明】
【技術分野】
【０００１】
本発明は正月飾りの門松の代用品用に作った竹風容器部分に食品を入れる販売促進用容
器に関する。          
【背景技術】
【０００２】
従来から日本では、正月を飾るに表に門松、家内には鏡餅等を用いる事が風習とされて
いる。その風習の鏡餅に関しては、今日外見を鏡餅風に仕上げたプラスチック成型品の中
に餅を入れて物も販売されている。プラスチックシート成形品で作られた多段の鏡餅形状
の物に餅を柔らかな段階で入れた物や、パックされた切り餅を入れたもの等も数多く市販
されている。一方、門松は一般家庭の玄関を飾るものとしては形状的には大きく、価格面
も高い事も含め、今日では一部の家庭や企業、商店等に限られて来て居る。一部販売店で
もプラスチックでできた門松風の物や同じく、プラスチックの松飾で出来た据え置き型の
物も販売されている。また一般家庭では玄関に、一本の松の枝に紅白の水引などをあしら
った簡単な物で代用している。
【発明の概要】
【発明が解決しようとする課題】
【０００３】
本発明は正月飾りの門松を安価な代用品で代替出来ないか、又その門松を単なる飾りと
してのみで販売・使用するのでなく正月シーズン目当ての商品に使用した包装の後利用品
を活用する方法、又はそれ自身が販売促進用として活用する事が出来ないかと云うもの。
【課題を解決するための手段】
【０００４】
印刷した厚紙又は紙管又はプラスチック管でなる筒状物のその表面に節などを描いた竹
風の印刷したラベルで加飾した構成品で、筒状本体内部に食品を入れられるようにしたこ
とを特徴とする販売促進用容器である。
【０００５】
上記筒状物の上部開口部を斜めに切断した斜切り開口部を備えたことを特徴とする販売
促進用容器である。
【０００６】
竹の節を示すため、筒状物に部分的にプレス加工で凹凸部を作る事や、紙やプラスチッ
クなどを輪状にして貼り付け、厚みをだした節部を備えたことを特徴とする販売促進用容
器である。
【０００７】
上記筒状物に底部を追加したことを特徴とする販売促進用容器である。
【０００８】
販売促進用容器を、食品をいれた状態で一つ又は複数個配置し、さらに造花門松飾り干支
の動物等を備えた事を特徴とする販売促進商品セットである。
【発明の効果】
【０００９】
現在市販している正月目当ての物に付いて、シート成形プラスチック容器入りの鏡餅が
大半を占めており、そのパッケージに関しても多くの発明がなされ各社が競っている。
本発明は安価な材料と方法で竹風の物を作り、その門松の竹の部分にフィルム包装した餅
やその他年越しそば、そうめん、飲料、酒、歳暮用ハム等々食料品を入れて販売する事を
考案し、それのパッケージ材自身の後利用も考慮したものとして販売する事で正月シーズ
ン向けの新たな販売促進方法とすることを発明した。消費者は中に入った食品を簡単に取
りだしその容器を後利用して、更に若干の門松飾り風の物や追加した干支の動物をあしら
った付属のもの等により、その年々を表す華やかな正月飾りとして活用する事を可能とさ
せる門松風の正月飾り兼用食品販売促進容器を発明した。本発明の本体は竹材自身でも可
能であるが同一サイズや品質を揃える事の大変さや、価格面や環境面、使用後の廃棄性も
考慮して紙等軽資材を主体として構成する案と成って居る。後利用時はポリ袋等に水を入
れて筒内に入れ、安定性を加えるとか、プラスチック成型品から成る台座を設け筒状の本
体を差し込み固定する等で、屋外にも飾れる事を提供する案としている。  
【図面の簡単な説明】
【００１０】
【図１】本発明の販売促進用容器の構成
【図２】門松飾りの例
【図３】本発明の販売促進商品セットの構成
【発明を実施するための形態】
【００１１】
図１は本発明の販売促進用容器の構成を示す。本発明の販売促進用容器は、竹風容器で
厚紙や紙管やプラスチックからなる筒状物１とラベル２からなる。筒状物１は、厚紙や紙
管やプラスチック材からなる筒状の本体１１で、竹の節を示すため、印刷で表現する事や、また紙やプラスチックなどを輪状にして貼り付け、厚みをだした節部１３を備えてもよい。上部開口部を斜めに切って斜切り開口部１２を備えてもよい。
【００１２】
ラベル２は、竹風の印刷を施した加飾部２１と、竹の節を印刷した節部からなる。竹節
を示すため、筒状物１に部分的にプレス加工で凹凸部を作る事や、紙やプラスチックなど
を輪状にして貼り付け、厚みをだした節部を備えたことを特徴としても良い。筒状物１は、
竹の節を示す厚みを有する節部１３を備える場合は、ラベルの節部と位置を合わせる。筒
状物１の上部又は底部開口部から、食品をいれる。
【００１３】
図２は門松飾りの例を示す。プラスチック又は紙製水引等紙からなる造花の門松飾り４
で、販売促進用容器にあわせて販売促進を兼ねた正月飾り容器となる。
【００１４】
図３は本発明の販売促進商品セットの構成で販促ケースに入れた販売促進商品セットＱ
である。販売促進商品セットＱは、食品を入れた販売促進用容器Ｐを一つまたは複数個と、
それぞれの販売促進用容器Ｐの自立を可能にするシート成形品からなる底用台断面図４２
からなる物と、その横に造花門松飾り４や干支の動物４１等組合せ等で、その年の新年ら
しさと楽しさ可愛らしさの演出を行う顧客の購買意欲を引き出すようにしてそれぞれを販
売ケースに入れた販売促進商品セットとなる。
【産業上の利用可能性】
【００１５】
近年低迷する消費の現状の中、その製品の持つ季節性とマッチさせて、販売促進目的で
消費者の目を引き、興味を持って貰う方販促方法が拡大してきている。そのような動きの
中で、それ自身が日本古来の習慣・シーズン性と良い形で合体するもので、簡便で安価な
製品とした形態で、環境面も配慮した廃棄性も加味されれば更に販売促進の効果の高いも
のとして役立つものと成る。
【符号の説明】
【００１６】
１    筒状物
１１  本体
１２  斜切り開口部
１３  節部
２    ラベル
２１  加飾部
２２  節部
３    食品
４    造花門松飾り
４１  干支の動物
４２  底用台断面図
５    商品セット
Ｐ  販売促進用容器
Ｑ  販売促進商品セット
【図１】
2018127252.tif 000003
【図２】
2018127252.tif 000004
【図３】
2018127252.tif 000005